(57)【要約】      （修正有）【課題】デンタル加工機に対するメンテナンスをいつ行ったかを把握することができるシステムを提供する。【解決手段】デンタル加工機１００のメンテナンス履歴表示システム１は、デンタル加工機１００に対するメンテナンスが行われた際のメンテナンス情報の履歴が記憶された記憶装置１２０と、記憶装置１２０と通信可能に接続された表示処理装置２１０と、を備えている。表示処理装置２１０は、記憶装置１２０に記憶されたメンテナンス情報を取得する取得処理部２１３と、取得処理部２１３によって取得されたメンテナンス情報を表示する表示処理部２１５と、を備えている。【選択図】図５
2020135012.tif 000002
【特許請求の範囲】
【請求項１】
デンタル加工機に対するメンテナンスが行われた際のメンテナンス情報の履歴が記憶された記憶装置と、
前記記憶装置と通信可能に接続された表示処理装置と、
を備え、
前記表示処理装置は、
前記記憶装置に記憶された前記メンテナンス情報を取得する取得処理部と、
前記取得処理部によって取得された前記メンテナンス情報を表示する表示処理部と、
を備えた、デンタル加工機のメンテナンス履歴表示システム。
【請求項２】
前記記憶装置には、複数の前記デンタル加工機に対するメンテナンスがそれぞれ行われた際の前記メンテナンス情報の履歴が記憶されている、請求項１に記載されたデンタル加工機のメンテナンス履歴表示システム。
【請求項３】
前記表示処理部は、デンタル加工機毎に前記メンテナンス情報を表示する、請求項２に記載されたデンタル加工機のメンテナンス履歴表示システム。
【請求項４】
前記デンタル加工機と、
前記デンタル加工機と通信可能に接続された操作端末と、
を備え、
前記記憶装置は、前記操作端末と通信可能に接続され、
前記操作端末は、
前記デンタル加工機に対するメンテナンスが行われた際のメンテナンス情報を取得する端末取得部と、
前記端末取得部によって取得された前記メンテナンス情報を前記記憶装置に送信する端末送信部と、
を備え、
前記記憶装置は、前記端末送信部によって送信された前記メンテナンス情報を記憶するように構成された、請求項１から３までの何れか１つに記載されたデンタル加工機のメンテナンス履歴表示システム。
【請求項５】
前記操作端末は、
前記デンタル加工機に対するメンテナンスを行ったときに押されるメンテナンスボタンが表示される端末表示画面と、
利用者に操作される端末操作部と、
を備え、
前記端末取得部は、前記端末操作部を介して前記メンテナンスボタンが押されたとき、前記メンテナンスボタンに対応した前記メンテナンス情報を取得する、請求項４に記載されたデンタル加工機のメンテナンス履歴表示システム。
【請求項６】
前記メンテナンス情報は、
メンテナンス内容と、
前記デンタル加工機に対して前記メンテナンス内容に対応したメンテナンスが行われたメンテナンス日時と、
を有し、
前記記憶装置は、前記メンテナンス内容と、前記メンテナンス日時とを関連付けて記憶するように構成され、
前記表示処理部は、前記取得処理部によって取得された前記メンテナンス情報に基づいて、前記メンテナンス内容と前記メンテナンス日時とを関連付けて表示する、請求項１から５までの何れか１つに記載されたデンタル加工機のメンテナンス履歴表示システム。
【請求項７】
前記表示処理装置は、
前記取得処理部によって取得された前記メンテナンス情報のうち、同じ前記メンテナンス内容の中から直近に行われた前記メンテナンス内容に対応した前記メンテナンス日時を抽出する抽出処理部と、
前記抽出処理部によって抽出された前記メンテナンス日時から予め定められた経過時間が経過したか否かを判定する判定処理部と、
前記抽出処理部によって抽出された前記メンテナンス日時から前記経過時間が経過していると前記判定処理部に判定されたとき、アラートを通知するアラート通知部と、
を備えた、請求項６に記載されたデンタル加工機のメンテナンス履歴表示システム。
【請求項８】
前記アラート通知部は、予め定められたメールアドレスにアラートを通知するメールを送信する、請求項７に記載されたデンタル加工機のメンテナンス履歴表示システム。
【請求項９】
前記経過時間は、前記メンテナンス内容毎に設定されている、請求項７または８に記載されたデンタル加工機のメンテナンス履歴表示システム。
【請求項１０】
前記デンタル加工機は、
内部に加工空間が形成された本体と、
前記加工空間に配置され、複数の加工ツールのうち１つを選択的に把持するツール把持部と、
前記加工空間に配置され、前記ツール把持部を回転させるスピンドルと、
を備えた、請求項６から９までの何れか１つに記載されたデンタル加工機のメンテナンス履歴表示システム。
【請求項１１】
前記メンテナンス内容には、前記加工ツールを交換する加工ツール交換が含まれる、請求項１０に記載されたデンタル加工機のメンテナンス履歴表示システム。
【請求項１２】
前記スピンドルは、交換可能であり、
前記メンテナンス内容には、前記スピンドルを交換するスピンドル交換が含まれる、請求項１０または１１に記載されたデンタル加工機のメンテナンス履歴表示システム。
【請求項１３】
前記メンテナンス内容には、前記加工空間をクリーニングするクリーニング作業が含まれる、請求項１０から１２までの何れか１つに記載されたデンタル加工機のメンテナンス履歴表示システム。
【請求項１４】
前記メンテナンス内容には、前記加工空間をクリーニングする際に使用されるクリーニングツールを交換するクリーニングツール交換が含まれる、請求項１０から１３までの何れか１つに記載されたデンタル加工機のメンテナンス履歴表示システム。
【請求項１５】
前記デンタル加工機は、前記スピンドルを移動させる移動機構を備え、
前記スピンドルには、予め定められた原点位置が設定されており、
前記メンテナンス内容には、前記スピンドルにおける前記原点位置を調整するスピンドル原点調整が含まれる、請求項１０から１４までの何れか１つに記載されたデンタル加工機のメンテナンス履歴表示システム。
【請求項１６】
前記メンテナンス内容には、前記デンタル加工機による加工前に、前記スピンドルを回転させるスピンドル慣らし運転が含まれる、請求項１０から１５までの何れか１つに記載されたデンタル加工機のメンテナンス履歴表示システム。
【発明の詳細な説明】
【技術分野】
【０００１】
本発明は、デンタル加工機のメンテナンス履歴表示システムに関する。
【背景技術】
【０００２】
例えば特許文献１には、セラミックまたは樹脂などの所定の材料によって成型された被加工物を所望の形状に切削加工（以下、加工という。）することで、対象物を作製する切削加工機が開示されている。特許文献１に開示された切削加工機は、棒状の加工ツールを用いて、加工ツールを軸方向に回転させながら、加工ツールと被加工物との相対的な位置を変更することで、被加工物を加工する。その結果、所望の対象物を作製することができる。
【先行技術文献】
【特許文献】
【０００３】
【特許文献１】特開２０１５−１２０２２２号公報
【発明の概要】
【発明が解決しようとする課題】
【０００４】
ところで、上記切削加工機の一例として、デンタル分野で使用されるデンタル加工機が挙げられる。デンタル加工機に対してメンテナンスが行われる。このメンテナンスには、様々な内容が存在する。メンテナンスの内容として、例えば加工ツールの交換や、デンタル加工機の加工空間のクリーニングなどが挙げられる。デンタル加工機に対するメンテナンスが行われないことによって、加工中にエラーが発生したり、加工して作製された対象物の品質が低下したりすることがあり得る。そのため、デンタル加工機に対するメンテナンスは、定期的に行われることが好ましい。しかしながら、利用者によっては、デンタル加工機に対するメンテナンスをいつ行ったかを正確に把握していないことがある。
【０００５】
本発明はかかる点に鑑みてなされたものであり、その目的は、デンタル加工機に対するメンテナンスをいつ行ったかを正確に把握することが可能なデンタル加工機のメンテナンス履歴表示システムを提供することである。
【課題を解決するための手段】
【０００６】
本発明に係るデンタル加工機のメンテナンス履歴表示システムは、デンタル加工機に対するメンテナンスが行われた際のメンテナンス情報の履歴が記憶された記憶装置と、前記記憶装置と通信可能に接続された表示処理装置と、を備えている。前記表示処理装置は、前記記憶装置に記憶された前記メンテナンス情報を取得する取得処理部と、前記取得処理部によって取得された前記メンテナンス情報を表示する表示処理部と、を備えている。
【０００７】
前記デンタル加工機のメンテナンス履歴表示システムによれば、記憶装置には、デンタル加工機に対して行われたメンテナンスに対応したメンテナンス情報の履歴が記憶されている。このメンテナンス情報は、例えばデンタル加工機に対してメンテナンスが行われたときに、順次、記憶装置に記憶される。このように記憶装置に記憶されたメンテナンス情報の履歴に基づいて、メンテナンス情報を表示する。利用者は、表示処理部によって表示されたメンテナンス情報を見ることで、デンタル加工機に対してメンテナンスがいつ行われたかを把握することができる。
【発明の効果】
【０００８】
本発明によれば、デンタル加工機に対するメンテナンスをいつ行ったかを正確に把握することが可能なデンタル加工機のメンテナンス履歴表示システムを提供することができる。
【図面の簡単な説明】
【０００９】
【図１】実施形態に係るメンテナンス履歴表示システムの概念図である。
【図２】デンタル加工機の斜視図である。
【図３】デンタル加工機の正面図であり、カバーを開けた状態を示す図である。
【図４】ツールマガジン、回転支持部材およびクランプの斜視図である。
【図５】メンテナンス履歴表示システムのブロック図である。
【図６】端末表示画面の一例を示す図である。
【図７】クリーニングツールを示す図である。
【図８】メンテナンス履歴テーブルを示す図である。
【図９】表示画面の一例を示す図である。
【図１０】アラートを通知する手順を示したフローチャートである。
【発明を実施するための形態】
【００１０】
以下、図面を参照しながら、本発明の実施の形態に係るデンタル加工機のメンテナンス履歴表示システム（以下、メンテナンス履歴表示システムという。）について説明する。なお、ここで説明される実施の形態は、当然ながら本発明を特に限定することを意図したものではない。
【００１１】
図１は、本実施形態に係るメンテナンス履歴表示システム１の概念図である。メンテナンス履歴表示システム１は、複数のデンタル加工機１００のそれぞれに対して行われたメンテナンスの履歴を一括で管理するシステムである。まずは、メンテナンス履歴表示システム１の概要について説明する。
【００１２】
図１に示すように、メンテナンス履歴表示システム１は、デンタル加工機１００と、操作端末１１０と、サーバ１２０と、メンテナンス履歴表示装置２００とを備えている。本実施形態に係るデンタル加工機１００の数は特に限定されない。デンタル加工機１００の数は、１つであってもよいし複数であってもよい。操作端末１１０は、利用者がデンタル加工機１００を操作する端末である。操作端末１１０には、１つまたは複数のデンタル加工機１００が通信可能に接続されている。なお、本実施形態に係る操作端末１１０の数も特に限定されない。操作端末１１０は、１つであってもよいし複数であってもよい。サーバ１２０は、複数のデンタル加工機１００に関する情報を一括に管理するものである。サーバ１２０には、複数のデンタル加工機１００が接続されている。本実施形態では、サーバ１２０には、複数の操作端末１１０が通信可能に接続されており、操作端末１１０を介して複数のデンタル加工機１００が接続されている。
【００１３】
メンテナンス履歴表示装置２００は、デンタル加工機１００に対して行われたメンテナンスの履歴を管理および表示するものである。メンテナンス履歴表示装置２００は、サーバ１２０に通信可能に接続されている。なお、メンテナンス履歴表示装置２００の数も特に限定されない。メンテナンス履歴表示装置２００の数は、１つであってもよいし、複数であってもよい。なお、本実施形態では、メンテナンス履歴表示システム１は、クライアントサーバ型のシステムによって実現されるものであってもよいし、クラウド・コンピューティングによって実現されるものであってもよい。以下、デンタル加工機１００、操作端末１１０、サーバ１２０およびメンテナンス履歴表示装置２００について詳しく説明する。
【００１４】
まず、デンタル加工機１００について説明する。複数のデンタル加工機１００は、機種が異なることがあり得る。しかしながら、複数のデンタル加工機１００の基本的な構成は同じである。そのため、ここでは、１つのデンタル加工機１００の基本的な構成について説明する。
【００１５】
図２は、デンタル加工機１００の斜視図である。図３は、デンタル加工機１００の正面図であり、カバー１２を開けた状態を示す図である。図４は、後述するツールマガジン１４、回転支持部材１５およびクランプ１６の斜視図である。図５は、メンテナンス履歴表示システム１のブロック図である。以下の説明において、左方、右方とは、デンタル加工機１００の正面にいる利用者から見た左方、右方をそれぞれ意味する。また、デンタル加工機１００の本体１１の内部の加工空間２６（図３参照）を形成する底面は、上記利用者から見て手前から奥に向かうにしたがって下方に傾斜している。そこで、本実施形態では、上記底面に沿って上記利用者がデンタル加工機１００から遠ざかる方を前方とし、上記底面に沿って上記利用者がデンタル加工機１００に近づく方を後方とする。また、上記底面に直交する方向において、上を上方、下を下方とする。なお、図面中のＦ、Ｒｒ、Ｌ、Ｒ、Ｕ、Ｄは、それぞれ前、後、左、右、上、下を意味する。
【００１６】
本実施形態では、デンタル加工機１００は、互いに直交する軸をＸ軸、Ｙ軸、Ｚ軸としたとき、Ｘ軸とＹ軸とで構成される平面に配置されている。Ｘ軸は左右方向に延びた軸であり、Ｙ軸は前後方向に延びた軸であり、Ｚ軸は上下方向に延びた軸である。また、図面中の符号θｘ、θｙ、θｚは、それぞれＸ軸回り、Ｙ軸回り、Ｚ軸回りの回転方向を示している。ただし、上記方向は、説明の便宜上定めた方向に過ぎず、デンタル加工機１００の設置態様を何ら限定するものではなく、本発明を何ら限定するものでもない。
【００１７】
デンタル加工機１００は、被加工物５（図４参照）を加工することで、対象物を作製する。ここで、対象物の種類は特に限定されないが、例えば歯冠補綴物である。歯冠補綴物として、例えばインレー、クラウン、ブリッジなどが挙げられる。本実施形態では、デンタル加工機１００は、デンタル分野で使用されるものであり、被加工物５から歯冠補綴物を作製する。
【００１８】
被加工物５の形状は、例えば円盤形状である。被加工物５は、ジルコニア、ワックス、ポリメタクリル酸メチル樹脂（ＰＭＭＡ）、ハイブリッドレジン、ＰＥＥＫ（ポリエーテルエーテルケトン樹脂）、石膏などの各種の材料によって形成されている。被加工物５の材料としてジルコニアを用いるときには、例えば、半焼結したジルコニアが用いられる。ただし、被加工物５の形状および材料は特に限定されない。
【００１９】
図２に示すように、デンタル加工機１００は、本体１１と、カバー１２と、加工機構１３（図３参照）と、ツールマガジン（図４参照）と、回転支持部材１５と、クランプ１６（図４参照）とを備えている。本体１１は、箱状に形成されており、内部に空間を有している。この空間が加工空間２６である。加工空間２６は、被加工物５が切削加工される空間である。詳しい図示は省略するが、加工空間２６を形成する底面は、前方から後方に向かうにしたがって下方に傾斜している。本体１１の前部は開口している。図３に示すように、カバー１２は、本体１１の開口を開閉自在に、本体１１に支持されている。カバー１２には窓部１２ａが設けられている。利用者は窓部１２ａから本体１１の加工空間２６を視認することができる。
【００２０】
図３に示すように、加工機構１３は、加工ツール８を使用して被加工物５を加工するものである。加工機構１３は、加工ツール８を回転させながら被加工物５に接触させることで、被加工物５を加工する。加工機構１３は、スピンドル３１と、ツール把持部３２とを有している。スピンドル３１およびツール把持部３２は、本体１１の加工空間２６に配置されている。スピンドル３１は、ツール把持部３２、および、ツール把持部３２に把持された加工ツール８を、長手方向を軸にして回転させるものである。スピンドル３１は、本体１１に対して取り換え可能に設けられている。スピンドル３１は、上下方向に延びており、Ｚ軸周りθｚに回転可能に構成されている。ツール把持部３２は、加工ツール８を把持するものであり、スピンドル３１に設けられている。詳しくは、ツール把持部３２は、スピンドル３１の底面に設けられている。ツール把持部３２は、複数の加工ツール８のうち１つを選択的に把持する。スピンドル３１がＺ軸周りθｚに回転することで、ツール把持部３２、および、ツール把持部３２に把持された加工ツール８は、Ｚ軸周りθｚ、言い換えると加工ツール８の中心軸周りに回転する。
【００２１】
本実施形態では、デンタル加工機１００は、移動機構３３を備えている。移動機構３３は、加工機構１３（詳しくは、スピンドル３１およびツール把持部３２）を移動させる機構である。ここでは、移動機構３３は、加工機構１３を左右方向および上下方向に移動するように構成されている。なお、移動機構３３の構成は特に限定されない。例えば移動機構３３は、モータによって構成され、モータが駆動することで加工機構１３が移動する。
【００２２】
本実施形態では、ツール把持部３２に把持される加工ツール８は、複数存在する。加工ツール８は、棒状であり、下部に刃物部８ａを有している。この刃物部８ａの形状が異なる複数の加工ツール８が予め用意されている。複数の加工ツール８は、ツール把持部３２に選択的に把持される。加工中、ツール把持部３２に把持された加工ツール８は、必要に応じて他の加工ツール８に交換される。
【００２３】
図４に示すように、ツールマガジン１４は、複数の加工ツール８を収容することが可能なものである。本実施形態では、ツールマガジン１４は、箱状に形成されている。ツールマガジン１４の上面には、加工ツール８を収容する複数の収容孔３５が形成されている。加工ツール８は、その上部が露出された状態で収容孔３５に挿通されている。なお、収容孔３５の数は特に限定されないが、ここでは１０個である。そのため、本実施形態では、ツールマガジン１４には、１０本の加工ツール８を収容することが可能である。ツール把持部３２に把持されている加工ツール８を交換する際には、ツール把持部３２に把持されている加工ツール８を収容孔３５に戻す。そして、次に使用する加工ツール８の上方の位置まで加工機構１３を移動させる。その後、ツール把持部３２の下方に位置する加工ツール８の上端をツール把持部３２が把持する。
【００２４】
本実施形態では、ツールマガジン１４には、回転支持部材１５を回転可能に支持する第１回転軸４１が設けられている。第１回転軸４１は左右方向に延びており、回転支持部材１５に連結している。図示は省略するが、ツールマガジン１４には、第１回転軸４１を回転させる第２駆動機構が設けられている。第１回転軸４１は、上記第２駆動機構によってＸ軸周りθｘに回転可能に構成されている。第１回転軸４１がＸ軸周りθｘに回転することで、回転支持部材１５はＸ軸周りθｘに回転する。
【００２５】
回転支持部材１５は、クランプ１６を回転可能に支持している。回転支持部材１５は、平面視で、略Ｃ字形状に形成されている。回転支持部材１５は、第１回転軸４１を介して、ツールマガジン１４と連結している。回転支持部材１５は、第１部分５１と、第２部分５２と、第３部分５３とを有している。第１部分５１は、ツールマガジン１４の左方に配置されており、前後方向に延びている。第２部分５２は、第１部分５１の後端から左方に延びている。第３部分５３は、第１部分５１の前端から左方に延びている。第３部分５３は、第２部分５２と対向している。本実施形態では、第２部分５２と第３部分５３との間に、クランプ１６が配置されている。
【００２６】
クランプ１６は、被加工物５を加工する際に被加工物５を支持する部材である。本実施形態では、被加工物５には、アダプタ（図示せず）が取り付けられており、クランプ１６は、上記アダプタを介して被加工物５を支持する。例えばクランプ１６は、被加工物５の形状の一部に対応した形状をしている。ここでは、クランプ１６は、平面視において略Ｃ字形状である。本実施形態では、クランプ１６によって支持された被加工物５に対して加工が行われる。クランプ１６は、回転支持部材１５の第２部分５２および第３部分５３に回転可能に支持されている。クランプ１６の後部には、第２回転軸４２の一端が接続されており、第２回転軸４２の他端には、第２部分５２が接続されている。クランプ１６の前部には、第３回転軸４３の一端が接続されており、第３回転軸４３の他端には、第３部分５３が接続されている。本実施形態では、第３部分５３には、クランプ１６をＹ軸回りθｙに回転させる駆動モータ１６ａ（図５参照）が設けられている。
【００２７】
本実施形態に係るデンタル加工機１００は、いわゆるディスクチェンジャー付きのデンタル加工機であってもよい。なお、この場合のディスクチェンジャーは、従来公知のものを採用することができる。ディスクチェンジャーとして、例えば特開２０１８−８９７６３号公報に記載された被加工物搬送装置を採用することができる。
【００２８】
図２に示すように、デンタル加工機１００は、制御装置６０を備えている。制御装置６０は、被加工物５の加工に関する制御をする装置である。制御装置６０は、マイクロコンピュータからなっており、本体１１の内部に設けられている。制御装置６０は、例えば中央処理装置（ＣＰＵ）と、ＣＰＵが実行するプログラムなどを格納したＲＯＭと、ＲＡＭなどを備えている。ここでは、マイクロコンピュータ内に保存されたプログラムを使用して、被加工物５の加工に関する制御を行う。
【００２９】
図５に示すように、制御装置６０は、スピンドル３１に通信可能に接続されており、スピンドル３１の回転を制御する。制御装置６０は、クランプ１６をＹ軸周りθｙに回転させる駆動モータ１６ａに通信可能に接続されており、駆動モータ１６ａを制御する。図示は省略するが、制御装置６０は、加工機構１３を左右方向および上下方向に移動させる移動機構３３に通信可能に接続されており、移動機構３３を制御する。また、図示は省略するが、制御装置６０は、第１回転軸４１を回転させる上記第２駆動機構に通信可能に接続されており、上記第２駆動機構を制御する。
【００３０】
本実施形態では、制御装置６０は、記憶部６１と、加工制御部６２と、ツール使用時間測定部６４と、回転時間測定部６６と、送信部６８とを備えている。制御装置６０の各部は、ソフトウェアによって構成されていてもよいし、ハードウェアによって構成されていてもよい。制御装置６０の各部は、１つまたは複数のプロセッサによって実現されるものであってもよいし、回路によって組み込まれるものであってもよい。
【００３１】
本実施形態では、加工制御部６２は、被加工物５を加工するように、加工機構１３、クランプ１６および移動機構３３の制御を行う。加工制御部６２は、加工機構１３の動作と共に、クランプ１６の動作を全体として統括的に制御する。このことによって、クランプ１６に支持された被加工物５と加工ツール８との相対的な位置関係を３次元で変化させて、Ｘ軸方向、Ｙ軸方向、Ｚ軸方向、Ｘ軸周りθｘ、Ｙ軸周りθｙの５軸制御による高精度な加工を実現することができる。本実施形態では、加工機構１３のスピンドル３１によって回転された加工ツール８の刃物部８ａ（図３参照）を、クランプ１６に支持された被加工物５に当接させることで、被加工物５に対する加工を行うことができる。ここでは、被加工物５に対して、任意の位置に加工ツール８が任意の角度で当接されることによって、対象物が作製される。
【００３２】
ツール使用時間測定部６４は、加工ツール８が使用されたツール使用時間１３５（図６参照）を測定する。ここでは、ツール把持部３２に加工ツール８が把持されていた時間がツール使用時間１３５となる。本実施形態では、複数の加工ツール８が選択的に使用されるため、ツール使用時間測定部６４は、複数の加工ツール８毎にツール使用時間１３５を測定している。なお、ツール使用時間測定部６４によって測定された加工ツール８のツール使用時間１３５は、記憶部６１に記憶される。
【００３３】
回転時間測定部６６は、スピンドル３１のスピンドル回転時間１３６（図６参照）を測定する。スピンドル３１の回転時間１３６とは、デンタル加工機１００が被加工物５を加工しているときに、スピンドル３１が回転していた時間である。なお、回転時間測定部６６によって測定されたスピンドル回転時間１３６は、記憶部６１に記憶される。
【００３４】
送信部６８は、ツール使用時間測定部６４によって測定された加工ツール８毎のツール使用時間１３５、および、回転時間測定部６６によって測定されたスピンドル３１のスピンドル回転時間１３６を、操作端末１１０に送信する。
【００３５】
次に、図１に示す操作端末１１０について説明する。本実施形態では、複数の操作端末１１０は、同じ構成を有している。そのため、以下では、１つの操作端末１１０の構成について説明する。操作端末１１０は、デンタル加工機１００を操作する端末である。操作端末１１０は、例えばパーソナルコンピュータによって実現されるものである。操作端末１１０は、汎用のコンピュータによって実現されるものであってもよいし、専用のコンピュータによって実現されるものであってもよい。
【００３６】
図１に示すように、操作端末１１０には、１つまたは複数のデンタル加工機１００が通信可能に接続されている。操作端末１１０は、通信可能に接続されたデンタル加工機１００を操作することが可能である。操作端末１１０は、図５に示すように、例えば端末表示画面１１１と、端末操作部１１２と、端末制御装置１１３とを備えている。
【００３７】
端末表示画面１１１の種類は特に限定されないが、例えばデスクトップ型またはノート型のパーソナルコンピュータのディスプレイである。端末操作部１１２は、例えばパーソナルコンピュータのキーボードおよびマウスである。ただし、端末操作部１１２は、端末表示画面１１１に設けられたタッチパネルであってもよい。
【００３８】
端末制御装置１１３は、例えばマイクロコンピュータである。マイクロコンピュータのハードウェアの構成は特に限定されないが、例えば、ＣＰＵと、ＲＯＭと、ＲＡＭと、記憶装置などを備えている。端末制御装置１１３は、端末表示画面１１１および端末操作部１１２に通信可能に接続されている。
【００３９】
端末制御装置１１３には、デンタル加工機１００を操作するための専用のアプリケーションがインストールされている。利用者は、上記アプリケーションを端末表示画面１１１に表示し、端末操作部１１２を介して上記アプリケーションを操作することで、デンタル加工機１００を操作することができる。端末制御装置１１３は、端末記憶部１１４と、端末送信部１１５と、端末取得部１１６と、を備えている。
【００４０】
図６は、端末表示画面１１１の一例を示す図である。図６に示すように、例えば端末表示画面１１１には、メンテナンス画面ＤＰ１が表示される。メンテナンス画面ＤＰ１は、デンタル加工機１００に対するメンテナンスが行われるとき、または、メンテナンスが行われたときに使用される画面である。本実施形態では、利用者によるデンタル加工機１００に対するメンテナンスが終了したとき、利用者は、端末操作部１１２を介してメンテナンス画面ＤＰ１に配置されたボタンであって、メンテナンス内容に応じたボタンを押すことで、メンテナンスが終了した旨を操作端末１１０に知らせる。
【００４１】
メンテナンスには、複数のメンテナンス内容１３２（図８参照）が存在する。図６に示すように、メンテナンス内容１３２として、例えばクリーニング作業１３２ａ、クリーニングツール交換１３２ｂ、加工ツール交換１３２ｃ、スピンドル交換１３２ｄ、スピンドル原点調整１３２ｅ、スピンドル慣らし運転１３２ｆが挙げられる。なお、上記以外のメンテナンス内容１３２が含まれていてもよい。本実施形態では、メンテナンス画面ＤＰ１には、メンテナンスボタンＢＴ７が配置されている。メンテナンスボタンＢＴ７は、６つのボタンＢＴ１〜ＢＴ６を有している。ここでは、メンテナンス画面ＤＰ１には、クリーニング作業１３２ａに対応したクリーニング作業ボタンＢＴ１、および、クリーニングツール交換１３２ｂに対応したクリーニングツール交換ボタンＢＴ２が配置されている。また、メンテナンス画面ＤＰ１には、加工ツール交換１３２ｃに対応した加工ツール交換ボタンＢＴ３、および、スピンドル交換１３２ｄに対応したスピンドル交換ボタンＢＴ４が配置されている。また、メンテナンス画面ＤＰ１には、スピンドル原点調整１３２ｅに対応した原点調整ボタンＢＴ５、および、スピンドル慣らし運転１３２ｆに対応した慣らし運転ボタンＢＴ６が配置されている。
【００４２】
本実施形態では、クリーニング作業１３２ａとは、デンタル加工機１００の加工空間２６（図３参照）を清掃するメンテナンスのことをいう。加工空間２６内には、加工ツール８によって被加工物５が切削加工されたときに発生する加工粉が残留する。クリーニング作業１３２ａは、例えば利用者が加工空間２６に残留した加工粉を、クリーニングツール２８（図７参照）を使用して取り除く作業である。例えば、デンタル加工機１００のクリーニング作業１３２ａが終了したとき、利用者は、端末操作部１１２を操作してクリーニング作業ボタンＢＴ１を押す。このことで、操作端末１１０は、クリーニング作業１３２ａが行われたことを認識する。
【００４３】
クリーニングツール交換１３２ｂとは、クリーニング作業１３２ａで使用したクリーニングツール２８（図７参照）を古いものから新しいものへ交換するメンテナンスのことをいう。クリーニングツール２８の種類は特に限定されないが、例えばブラシである。そのため、クリーニングツール２８は、消耗品であり、ある程度使用された後、新しいクリーニングツール２８に交換されることが好ましい。例えばクリーニングツール２８を新しいクリーニングツール２８に交換したとき、利用者は、端末操作部１１２を操作してクリーニングツール交換ボタンＢＴ２を押す。このことで、操作端末１１０は、クリーニングツール２８が交換されたことを認識する。
【００４４】
加工ツール交換１３２ｃとは、同じ種類の加工ツール８において、古い加工ツール８から新しい加工ツール８へ交換するメンテナンスのことをいう。加工ツール８は、被加工物５を加工する際に磨耗することがあり得るため、消耗品である、そのため、加工ツール８は、ある程度使用された後、新しい同じ種類の加工ツール８に交換されることが好ましい。例えば同じ種類の加工ツール８において、新しい加工ツール８に交換したとき、利用者は、端末操作部１１２を操作して加工ツール交換ボタンＢＴ３を押す。このことで、操作端末１１０は、加工ツール８が交換されたことを認識する。なお、加工ツール交換ボタンＢＴ３の数は、複数であり、ツールマガジン１４に収容することが可能な加工ツール８の数である。なお、図６の一例では、１つの加工ツール交換ボタンＢＴ３が示されているが、実際には複数の加工ツール交換ボタンＢＴ３が配置されている。
【００４５】
本実施形態では、メンテナンス画面ＤＰ１には、ツール使用時間１３５が表示される。ツール使用時間１３５は、例えばデンタル加工機１００のツール使用時間測定部６４（図５参照）によって測定された加工ツール８の使用時間である。ツール使用時間測定部６４によって測定されたツール使用時間１３５は、デンタル加工機１００の送信部６８によって操作端末１１０に送信される。そして、このツール使用時間１３５をメンテナンス画面ＤＰ１に表示する。なお、加工ツール交換ボタンＢＴ３が押されたとき、該当するツール使用時間１３５は、リセットされる。
【００４６】
スピンドル交換１３２ｄとは、古いスピンドル３１を新しいスピンドル３１に交換するメンテナンスのことをいう。スピンドル３１は、消耗品であり、ある程度使用されると回転不足などのエラーが発生する原因となるため、新しいスピンドル３１に交換されることが好ましい。スピンドル３１を新しいスピンドル３１に交換したとき、利用者は、端末操作部１１２を操作してスピンドル交換ボタンＢＴ４を押す。このことで、操作端末１１０は、スピンドル３１が交換されたことを認識する。
【００４７】
本実施形態では、メンテナンス画面ＤＰ１には、スピンドル回転時間１３６が表示される。スピンドル回転時間１３６は、例えばデンタル加工機１００の回転時間測定部６６（図５参照）によって測定された回転時間である。回転時間測定部６６によって測定されたスピンドル回転時間１３６は、送信部６８によって操作端末１１０に送信される。そして、このスピンドル回転時間１３６をメンテナンス画面ＤＰ１に表示する。なお、スピンドル交換ボタンＢＴ４が押されたとき、スピンドル回転時間１３６は、リセットされる。
【００４８】
スピンドル原点調整１３２ｅとは、スピンドル３１の原点位置を調整するメンテナンスのことをいう。スピンドル３１は、上述のように、移動機構３３（図３参照）によって移動するものであり、長時間使用されることで、位置ずれが発生することがあり得る。スピンドル３１には、予め定められた原点位置が設定されており、この原点位置を調整することでスピンドル３１の位置ずれが発生しにくくなる。このスピンドル原点調整１３２ｅは、位置ずれが発生することを抑制するために、デンタル加工機１００がある程度使用された後に行われることが好ましい。例えばスピンドル原点調整１３２ｅが行われるとき、利用者は端末操作部１１２を操作して原点調整ボタンＢＴ５を押す。このことで、操作端末１１０からデンタル加工機１００に位置調整信号が送られる。デンタル加工機１００は、位置調整信号を受信した後、スピンドル３１の位置調整を行う。操作端末１１０は、原点調整ボタンＢＴ５が押されたことで、スピンドル３１の位置調整が行われたことを認識する。
【００４９】
スピンドル慣らし運転１３２ｆとは、デンタル加工機１００の加工前に、スピンドル３１を事前に回転させるメンテナンスのことをいう。例えばデンタル加工機１００を長時間使用しなかった後に、デンタル加工機１００を使用する際、スピンドル３１の回転不足によるエラーが生じることがあり得る。そのため、ある程度の時間が経過した後には、スピンドル慣らし運転１３２ｆが行われることが好ましい。例えばスピンドル慣らし運転１３２ｆを行うとき、利用者は端末操作部１１２を操作して慣らし運転ボタンＢＴ６を押す。このことで、操作端末１１０からデンタル加工機１００に慣らし運転信号が送られる。デンタル加工機１００は、慣らし運転信号を受信した後、スピンドル慣らし運転１３２ｆを行う。操作端末１１０は、慣らし運転ボタンＢＴ６が押されたことで、スピンドル慣らし運転１３２ｆが行われたことを認識する。
【００５０】
本実施形態では、メンテナンス画面ＤＰ１の数は、操作端末１１０に接続されたデンタル加工機１００の数であり、利用者がデンタル加工機１００を選択し、選択されたデンタル加工機１００に対するメンテナンス画面ＤＰ１が端末表示画面１１１に表示される。複数のメンテナンス画面ＤＰ１のそれぞれには、デンタル加工機１００に付された後述の機器ＩＤ１３３（図８参照）が付されている。この機器ＩＤ１３３から、どのデンタル加工機１００に対応したメンテナンス画面ＤＰ１かを認識することができる。
【００５１】
図５の端末取得部１１６は、デンタル加工機１００に対するメンテナンスが行われた際のメンテナンス情報Ｍ１（図８参照）を取得する。端末取得部１１６は、端末操作部１１２を介してメンテナンスボタンＢＴ７（ここでは、ボタンＢＴ１〜ＢＴ６）が押されたとき、メンテナンスボタンＢＴ７に対応したメンテナンス情報Ｍ１を取得する。
【００５２】
次に、図１に示すサーバ１２０について説明する。サーバ１２０には、１つまたは複数の操作端末１１０が通信可能に接続されており、操作端末１１０を介して１つまたは複数のデンタル加工機１００が通信可能に接続されている。例えばメンテナンス履歴表示システム１がクラウド・コンピューティングによって実現されるものである場合、サーバ１２０は、クラウドである。サーバ１２０は、本発明の記憶装置の一例である。
【００５３】
図５に示すように、サーバ１２０には、メンテナンス履歴テーブルＴＢ１が記憶されている。図８は、メンテナンス履歴テーブルＴＢ１の一例を示す図である。メンテナンス履歴テーブルＴＢ１は、各デンタル加工機１００に対して行われたメンテナンスに関するメンテナンス情報Ｍ１を管理するテーブルであり、各デンタル加工機１００で行われたメンテナンスの履歴を一括で管理するテーブルである。本実施形態では、メンテナンス履歴テーブルＴＢ１では、メンテナンス内容１３２毎にメンテナンスが管理されている。なお、メンテナンス履歴テーブルＴＢ１の構成は特に限定されない。例えばメンテナンス履歴テーブルＴＢ１は、メンテナンス情報Ｍ１が記録されたテーブルである。ここでは、メンテナンス履歴テーブルＴＢ１は、メンテナンス日時１３１と、メンテナンス内容１３２と、機器ＩＤ１３３とが関連付けられたテーブルである。言い換えると、メンテナンス履歴テーブルＴＢ１は、メンテナンス日時１３１、メンテナンス内容１３２および機器ＩＤ１３３などの項目が存在する。ここで、「関連付けられた」とは、テーブルの同じ行に記載された項目同士のことをいう。本実施形態では、メンテナンス日時１３１、メンテナンス内容１３２および機器ＩＤ１３３を総称して、メンテナンス情報Ｍ１といい、メンテナンス情報Ｍ１は、メンテナンス日時１３１と、メンテナンス内容１３２と、機器ＩＤ１３３とを有している。
【００５４】
メンテナンス日時１３１は、デンタル加工機１００に対するメンテナンスが行われたときの日付１３１ａおよび時刻１３１ｂのことである。詳しくは、メンテナンス日時１３１は、操作端末１１０において、端末表示画面１１１に表示されたボタンＢＴ１〜ＢＴ６の何れかが利用者によって押されたときの日時である。
【００５５】
メンテナンス内容１３２は、デンタル加工機１００に対して行われたメンテナンスの内容である。ここでは、メンテナンス内容１３２には、例えばクリーニング作業１３２ａ、クリーニングツール交換１３２ｂ、加工ツール交換１３２ｃ、スピンドル交換１３２ｄ、スピンドル原点調整１３２ｅ、および、スピンドル慣らし運転１３２ｆが含まれる。機器ＩＤ１３３は、デンタル加工機１００毎に付された固有のＩＤである。この機器ＩＤ１３３からデンタル加工機１００を一意的に特定することができる。
【００５６】
本実施形態では、メンテナンス履歴テーブルＴＢ１には、以下のような手順で各項目のデータが追加される。例えばデンタル加工機１００に対してメンテナンスが行われたとき、利用者は、図６に示すように、端末表示画面１１１に表示されたメンテナンス画面ＤＰ１であって、メンテナンスを行ったデンタル加工機１００の機器ＩＤ１３３が付されたメンテナンス画面ＤＰ１のボタンＢＴ１〜ＢＴ６から、メンテナンス内容１３２に応じたボタンを押す。このことによって、端末取得部１１６は、ボタンが押された日時をメンテナンス日時１３１とし、メンテナンス画面ＤＰ１に対する機器ＩＤ１３３、および、押されたボタンに対応したメンテナンス内容１３２を取得する。例えば利用者が、機器ＩＤ１３３がａ１であるデンタル加工機１００に対してクリーニング作業１３２ａを行ったとする。この場合、機器ＩＤ１３３がａ１であるデンタル加工機１００に対応したメンテナンス画面ＤＰ１を端末表示画面１１１に表示する。利用者は、メンテナンス画面ＤＰ１に配置されたクリーニング作業ボタンＢＴ１を、端末操作部１１２を操作して押す。このとき、端末取得部１１６は、ボタンＢＴ１が押された日時をメンテナンス日時１３１とし、メンテナンス画面ＤＰ１に対応した機器ＩＤ１３３のａ１を取得し、ボタンＢＴ１に対応したメンテナンス内容１３２として、クリーニング作業１３２ａを取得する。操作端末１１０は、このようにして取得したメンテナンス日時１３１、メンテナンス内容１３２および機器ＩＤ１３３を関連付けて端末記憶部１１４に記憶させる。
【００５７】
操作端末１１０の端末送信部１１５は、メンテナンス日時１３１と、メンテナンス内容１３２と、機器ＩＤ１３３とを関連付けてサーバ１２０に送信する。そして、サーバ１２０は、サーバ１２０が受信したメンテナンス日時１３１と、メンテナンス内容１３２と、機器ＩＤ１３３とを関連付けてメンテナンス履歴テーブルＴＢ１に追加する。以上のようにして、デンタル加工機１００にメンテナンスが行われた際に、メンテナンス履歴テーブルＴＢ１にメンテナンス情報Ｍ１が追加される。
【００５８】
なお、メンテナンス履歴テーブルＴＢ１は、１つのテーブルによって構成されていてもよいし、複数のテーブルによって構成されていてもよい。メンテナンス履歴テーブルＴＢ１は、サーバ１２０以外に、操作端末１１０の端末記憶部１１４に記憶されていてもよい。
【００５９】
次に、メンテナンス履歴表示装置２００について説明する。メンテナンス履歴表示装置２００は、複数のデンタル加工機１００のメンテナンス情報Ｍ１（図８参照）の履歴を管理および表示する。メンテナンス履歴表示装置２００は、操作端末１１０と同様に、例えばパーソナルコンピュータによって実現されるものである。メンテナンス履歴表示装置２００は、汎用コンピュータによって実現されてもよいし、専用のコンピュータによって実現されてもよい。
【００６０】
図１に示すように、メンテナンス履歴表示装置２００は、サーバ１２０に通信可能に接続されている。メンテナンス履歴表示装置２００は、サーバ１２０に記憶されたメンテナンス履歴テーブルＴＢ１のメンテナンス情報Ｍ１を取得し、メンテナンス履歴表示装置２００が取得したメンテナンス情報Ｍ１に基づいて、各デンタル加工機１００のメンテナンス情報Ｍ１の履歴を表示する。図５に示すように、メンテナンス履歴表示装置２００は、表示画面２０１と、操作部２０２と、表示処理装置２１０とを備えている。
【００６１】
表示画面２０１の種類は特に限定されない。表示画面２０１は、例えば携帯型端末のディスプレイである。ただし、表示画面２０１は、例えばデスクトップ型またはノート型のパーソナルコンピュータのディスプレイであってもよい。
【００６２】
操作部２０２は、表示画面２０１に表示されたものを利用者が操作するものである。例えば利用者は、操作部２０２を操作することで、表示画面２０１に表示されたものを切り替えることができる。なお、操作部２０２の種類は特に限定されない。操作部２０２は、例えば表示画面２０１上に配置されたタッチパネルである。ただし、操作部２０２は、パーソナルコンピュータのキーボードおよびマウスであってもよい。
【００６３】
表示処理装置２１０は、サーバ１２０から、メンテナンス情報Ｍ１が記録されたメンテナンス履歴テーブルＴＢ１を取得し、メンテナンス情報Ｍ１の履歴を表示画面２０１に表示する。なお、表示処理装置２１０の構成は特に限定されない。表示処理装置２１０は、いわゆる制御装置である。表示処理装置２１０は、例えばマイクロコンピュータである。表示処理装置２１０は、ＣＰＵと、ＲＯＭと、ＲＡＭと、記憶装置などを備えている。本実施形態では、表示処理装置２１０は、サーバ１２０と別々のものであるが、サーバ１２０と一体的なものであってもよい。また本実施形態では、表示処理装置２１０は、操作端末１１０と別々のものであるが、操作端末１１０と一体的なものであってもよい。この場合、表示処理装置２１０は、操作端末１１０の端末制御装置１１３に組み込まれたものであってもよい。本実施形態では、表示処理装置２１０は、サーバ１２０と有線または無線を介して通信可能に接続されている。
【００６４】
本実施形態では、図５に示すように、表示処理装置２１０は、表示記憶部２１１と、取得処理部２１３と、表示処理部２１５と、抽出処理部２２０と、判定処理部２２２と、アラート通知部２２４とを備えている。表示処理装置２１０の各部は、ソフトウェアによって構成されていてもよいし、ハードウェアによって構成されていてもよい。表示処理装置２１０の各部は、１つまたは複数のプロセッサによって実現されるものであってもよいし、回路に組み込まれるものであってもよい。
【００６５】
取得処理部２１３は、サーバ１２０に記憶されたメンテナンス履歴テーブルＴＢ１を取得することで、メンテナンス情報Ｍ１を取得する。なお、取得処理部２１３によって取得されたメンテナンス履歴テーブルＴＢ１内のメンテナンス情報Ｍ１は、表示記憶部２１１に記載されてもよい。
【００６６】
表示処理部２１５は、取得処理部２１３によって取得されたメンテナンス情報Ｍ１を表示画面２０１に表示する。なお、メンテナンス情報Ｍ１を表示画面２０１にどのように表示するかは特に限定されず、例えば表などを用いてメンテナンス情報Ｍ１を表示画面２０１に表示する。
【００６７】
図９は、表示画面２０１の一例を示す図である。図９に示すように、表示処理部２１５は、デンタル加工機１００毎のメンテナンス履歴一覧表Ｔ１を表示画面２０１に表示する。このメンテナンス履歴一覧表Ｔ１は、取得処理部２１３によって取得されたメンテナンス履歴テーブルＴＢ１のメンテナンス情報Ｍ１に基づいて作成されたものである。
【００６８】
本実施形態では、表示画面２０１において、複数の選択ボタンＢＴ１１が配置されている。これら選択ボタンＢＴ１１は、デンタル加工機１００毎に設けられており、１つの選択ボタンＢＴ１１は、１つのデンタル加工機１００に対応している。利用者は、１つの選択ボタンＢＴ１１を、操作部２０２を介して選択して押すことで、利用者に選択された選択ボタンＢＴ１１に対応したデンタル加工機１００に関するメンテナンス履歴一覧表Ｔ１が表示される。なお、図９において、説明の便宜上、選択ボタンＢＴ１１には、機器ＩＤ１３３が付されている。ここでは、５つの選択ボタンＢＴ１１は、それぞれ機器ＩＤ１３３がａ１、ａ２、ａ３、ａ４、ａ５であるデンタル加工機１００に対応しており、５つのデンタル加工機１００のそれぞれのメンテナンス履歴一覧表Ｔ１を表示画面２０１に表示することが可能である。本実施形態では、表示処理部２１５は、デンタル加工機１００毎にメンテナンス情報Ｍ１を表示画面２０１に表示する。
【００６９】
なお、メンテナンス履歴一覧表Ｔ１の構成は特に限定されない。本実施形態では、メンテナンス履歴一覧表Ｔ１は、選択ボタンＢＴ１１によって選択された機器ＩＤ１３３に対応したデンタル加工機１００で行われたメンテナンス情報Ｍ１に関する表である。メンテナンス履歴一覧表Ｔ１には、列の項目（言い換えると、縦の項目）として、メンテナンス内容１３２としてのクリーニング作業１３２ａ、加工ツール交換１３２ｃ、スピンドル慣らし運転１３２ｆ、スピンドル原点調整１３２ｅ、クリーニングツール交換１３２ｂ、および、スピンドル交換１３２ｄが表示されている。行の項目（言い換えると、横の項目）として、メンテナンス日時１３１の日付１３１ａが表示されている。そして、各セルには、日付１３１ａとメンテナンス内容１３２に対応したメンテナンス日時１３１の時刻１３１ｂが表示されている。なお、空白のセルは、メンテナンスが行われなかったことを意味する。
【００７０】
例えば、日付１３１ａが「２０１８／１１／７」において、クリーニング作業１３２ａは、時刻１３１ｂが「２１：４１」のときに行われており、スピンドル原点調整１３２ｅは、時刻１３１ｂが「１４：１９」のときに行われている。しかしながら、日付１３１ａが「２０１８／１１／７」において、加工ツール交換１３２ｃ、スピンドル慣らし運転１３２ｆ、クリーニングツール交換１３２ｂ、スピンドル交換１３２ｄに関するメンテナンスは行われていない。
【００７１】
ここでは、加工ツール交換１３２ｃの行における各セルにおいて、「Ｎｏ」は、加工ツール８の番号を示している。本実施形態では、加工ツール８は、複数存在しており、各加工ツール８には、固有の番号が付されている。
【００７２】
メンテナンス履歴一覧表Ｔ１は、表示処理部２１５によって、例えば以下のような手順で作成される。ここでは、機器ＩＤ１３３がａ１のデンタル加工機１００に対応したメンテナンス履歴一覧表Ｔ１の作成手順について簡単に説明する。表示処理部２１５は、まず取得処理部２１３によって取得されたメンテナンス履歴テーブルＴＢ１から、機器ＩＤ１３３がａ１である行のデータを抽出する。すなわち、機器ＩＤ１３３がａ１に対応したメンテナンス日時１３１と、メンテナンス内容１３２とを抽出する。
【００７３】
次に、表示処理部２１５は、抽出したメンテナンス日時１３１と、メンテナンス内容１３２とを関連付けて、メンテナンス履歴一覧表Ｔ１に表示する。ここでは、メンテナンス内容１３２とメンテナンス日時１３１の日付１３１ａとにおける該当するセルに時刻１３１ｂを表示する。このことによって、機器ＩＤ１３３がａ１であるデンタル加工機１００で行われたメンテナンス情報Ｍ１を、メンテナンス履歴一覧表Ｔ１を使用して、表示画面２０１に表示することができる。
【００７４】
本実施形態では、メンテナンスに関するアラートを利用者に通知することが可能である。詳しくは、メンテナンス内容１３２毎に、直近にメンテナンスが行われた日時１３１から所定の経過時間ＴＭ１が経過したメンテナンス内容１３２を通知する。図１０は、アラートを通知する手順を示したフローチャートである。本実施形態では、メンテナンスに関するアラートの通知は、図１０のフローチャートに沿って行われる。
【００７５】
まずステップＳ１０１では、抽出処理部２２０は、メンテナンス履歴テーブルＴＢ１から、メンテナンス内容１３２毎に、直近に行われたメンテナンス日時１３１を抽出する。言い換えると、抽出処理部２２０は、取得処理部２１３によって取得されたメンテナンス情報Ｍ１のうち、同じメンテナンス内容１３２の中から直近に行われたメンテナンス内容１３２に対応したメンテナンス日時１３１を抽出する。本実施形態では、機器ＩＤ１３３毎、かつ、メンテナンス内容１３２毎に、直近のメンテナンス内容１３２に対応したメンテナンス日時１３１が抽出される。図９の一例では、メンテナンス履歴一覧表Ｔ１の列毎に、最も下に記載されたメンテナンス日時１３１が抽出されることになる。ただし、メンテナンス内容１３２が加工ツール交換１３２ｃの場合、加工ツール８の種類毎に、直近のメンテナンス日時１３１が抽出される。
【００７６】
例えば図９の一例では、クリーニング作業１３２ａについて、直近のメンテナンス日時１３１として、「２０１８／１１／２８  ２０：１１」が抽出される。スピンドル慣らし運転１３２ｆについて、直近のメンテナンス日時１３１として、「２０１８／１１／２３  ８：０８」が抽出される。なお、抽出処理部２２０によって抽出されたメンテナンス日時１３１であって、メンテナンス内容１３２毎、かつ、機器ＩＤ１３３毎の直近のメンテナンス日時１３１は、表示記憶部２１１に記憶される。
【００７７】
次に、ステップＳ１０３では、判定処理部２２２は、抽出処理部２２０によって抽出されたメンテナンス日時１３１から予め定められた経過時間ＴＭ１が経過したか否かを判定する。ここでは、判定処理部２２２は、メンテナンス内容１３２毎、かつ、機器ＩＤ１３３毎の直近のメンテナンス日時１３１のそれぞれについて、直近のメンテナンス日時１３１から経過時間ＴＭ１が経過したか否かを判定する。この予め定められた経過時間ＴＭ１とは、メンテナンス内容１３２毎に設定される時間である。この経過時間ＴＭ１は、表示記憶部２１１に予め記憶されている（図５参照）。この経過時間ＴＭ１は、そのメンテナンス内容１３２におけるメンテナンスが行われていないことが許容される時間である。
【００７８】
ステップＳ１０３において、判定処理部２２２によって直近のメンテナンス日時１３１から所定の経過時間ＴＭ１が経過していないと判定された場合には、アラートの通知は行われない。一方、ステップＳ１０３において、判定処理部２２２によって直近のメンテナンス日時１３１から所定の経過時間ＴＭ１が経過したと判定された場合には、直近のメンテナンス日時１３１に対応したメンテナンス内容１３２のメンテナンスが暫くの間、行われていないと判定される。この場合、次に、ステップＳ１０５において、アラート通知部２２４は、利用者にアラートを通知する。このアラートの通知方法は特に限定されない。例えばアラート通知部２２４は、所定のメールアドレス宛てに、メンテナンス内容１３２に応じたメンテナンスを行った方がよい旨のアラートのメールを送信する。ただし、アラートの通知は、例えば表示画面２０１にアラートのメッセージを表示するような通知であってもよいし、音や光を発することでアラートを通知してもよい。
【００７９】
以上、本実施形態では、サーバ１２０には、図８に示すように、デンタル加工機１００に対して行われたメンテナンスに対応したメンテナンス情報Ｍ１が記憶されている。このメンテナンス情報Ｍ１は、デンタル加工機１００に対してメンテナンスが行われたときに、順次、サーバ１２０に記憶されるものである。そのため、サーバ１２０には、メンテナンス情報Ｍ１が蓄積されている。本実施形態では、サーバ１２０に記憶されたメンテナンス情報Ｍ１に基づいて、図９に示すように、表示画面２０１にメンテナンス情報Ｍ１を表示する。利用者は、表示画面２０１に表示されたメンテナンス情報Ｍ１を見ることで、デンタル加工機１００に対してメンテナンスがいつ行われたかを把握することができる。
【００８０】
本実施形態では、サーバ１２０には、複数の前記デンタル加工機に対するメンテナンスがそれぞれ行われた際のメンテナンス情報Ｍ１の履歴が記憶されている。このことによって、複数のデンタル加工機１００におけるメンテナンス情報Ｍ１の履歴を表示画面２０１に表示することができるため、複数のデンタル加工機１００におけるメンテナンス情報Ｍ１を一括で管理することができる。
【００８１】
本実施形態では、表示処理部２１５は、デンタル加工機１００毎にメンテナンス情報Ｍ１を表示する。このことによって、利用者は、デンタル加工機１００毎に、メンテナンス情報Ｍ１を確認することができる。よって、デンタル加工機１００の単位で、どのメンテナンスが行われて、どのメンテナンスが行われていないかを把握することができる。
【００８２】
本実施形態では、図８に示すように、メンテナンス情報Ｍ１は、メンテナンス内容１３２と、デンタル加工機１００に対してメンテナンス内容１３２に対応したメンテナンスが行われた日時であるメンテナンス日時１３１を有している。サーバ１２０は、メンテナンス内容１３２と、メンテナンス日時１３１とを関連付けて記憶するように構成されている。表示処理部２１５は、取得処理部２１３によって取得されたメンテナンス情報Ｍ１に基づいて、メンテナンス内容１３２とメンテナンス日時１３１とを関連付けて表示画面２０１（図９参照）に表示する。このことによって、利用者は、表示画面２０１を見ることで、メンテナンス内容１３２毎に、メンテナンス内容１３２に対応したメンテナンスが行われた日時１３１を把握することができる。よって、メンテナンス内容１３２毎に、メンテナンスが行われた日時１３１を把握することができるため、メンテナンスを行う計画を立て易い。
【００８３】
本実施形態では、図５に示すように、表示処理装置２１０は、抽出処理部２２０と、判定処理部２２２と、アラート通知部２２４とを備えている。抽出処理部２２０は、取得処理部２１３によって取得されたメンテナンス情報Ｍ１のうち、同じメンテナンス内容１３２の中から直近に行われたメンテナンス内容１３２に対応したメンテナンス日時１３１を抽出する。判定処理部２２２は、抽出処理部２２０によって抽出されたメンテナンス日時１３１から予め定められた経過時間ＴＭ１が経過したか否かを判定する。アラート通知部２２４は、抽出処理部２２０によって抽出されたメンテナンス日時１３１から予め定められた経過時間ＴＭ１が経過していると判定処理部２２２に判定されたとき、アラートを通知する。このことによって、例えばメンテナンス内容１３２に対応したメンテナンスが、経過時間ＴＭ１が経過した後でも行われていない場合、そのメンテナンス内容１３２に対応したメンテナンスが行われていない旨のアラートが通知される。よって、そのメンテナンス内容１３２に応じたメンテナンスを行うことを利用者が忘れていた場合あっても、アラートの通知を受け取ることで、メンテナンス内容１３２に応じたメンテナンスを行うことを思い出すことができる。よって、メンテナンス内容１３２に応じたメンテナンスを定期的に行い易い。
【００８４】
本実施形態では、経過時間ＴＭ１は、メンテナンス内容１３２毎に設定されている。メンテナンス内容１３２によって、メンテナンスが行われていないことが許容される期間が異なる。そのため、経過時間ＴＭ１をメンテナンス内容１３２毎に設定することで、メンテナンス内容１３２毎に、適切な時期にアラートを通知することができる。
【００８５】
本実施形態では、アラート通知部２２４は、予め定められたメールアドレスにアラートを通知するメールを送信する。このことによって、アラートの通知に関するメールを利用者が受信することで、メンテナンス内容１３２に応じたメンテナンスを行うことを忘れることを抑制することができる。
【００８６】
本実施形態では、図６に示すように、端末表示画面１１１には、デンタル加工機１００に対するメンテナンスを行ったときに押されるメンテナンスボタンＢＴ７が表示されている。端末取得部１１６は、端末操作部１１２を介して、ボタンＢＴ１〜ＢＴ６を有するメンテナンスボタンＢＴ７が押されたとき、メンテナンスボタンＢＴ７に対応したメンテナンス情報Ｍ１を取得する。このように、本実施形態では、利用者がデンタル加工機１００に対するメンテナンスを行ったとき、端末操作部１１２を介してメンテナンス内容１３２に対応したボタンＢＴ１〜ＢＴ６を押す。そして、メンテナンス内容１３２に応じたボタンＢＴ１〜ＢＴ６が押された日時をメンテナンス日時１３１とすることで、メンテナンスが行われた日時１３１をサーバ１２０に記憶することができる。このように、メンテナンスボタンＢＴ７を押したタイミングをメンテナンス日時１３１とすることで、例えばデンタル加工機１００側が把握できないようなメンテナンス内容１３２であっても、そのメンテナンス内容１３２に対応したメンテナンス日時１３１を決定することができる。
【００８７】
本実施形態では、メンテナンス内容１３２には、加工ツール８を交換する加工ツール交換１３２ｃが含まれる。加工ツール８は、被加工物５を加工するものであり、長時間使用することで磨耗するものであり、消耗品である。そのため、加工ツール８を同じ種類の新しい加工ツール８に交換した日時１３１を、表示画面２０１を見て把握することで、加工ツール８を交換するタイミングが分かり易い。
【００８８】
本実施形態では、メンテナンス内容１３２には、スピンドル３１を交換するスピンドル交換１３２ｄが含まれる。スピンドル３１は、消耗品であり、ある程度使用されると回転不足などのエラーが発生する原因となる。そのため、スピンドル３１を新しいスピンドル３１に交換した日時１３１を、表示画面２０１を見て把握することで、次にスピンドル３１を交換するタイミングが分かり易い。
【００８９】
本実施形態では、メンテナンス内容１３２には、デンタル加工機１００の加工空間２６（図３参照）をクリーニングするクリーニング作業１３２ａが含まれる。加工空間２６内には、加工ツール８によって被加工物５が加工されたときに発生する加工粉が残留する。クリーニング作業１３２ａは、例えば利用者が加工空間２６に残留した加工粉を、クリーニングツール２８（図７参照）を使用して取り除く作業である。加工空間２６内の加工粉が定期的に取り除かれない場合、加工したことで作製された対象物の品質の低下に繋がることがあり得る。そのため、クリーニング作業１３２ａが行われた日時１３１を、表示画面２０１を見て把握することで、次にクリーニング作業１３２ａを行うタイミングが分かり易い。
【００９０】
本実施形態では、メンテナンス内容１３２には、加工空間２６をクリーニングする際に使用されるクリーニングツール２８（図７参照）を交換するクリーニングツール交換１３２ｂが含まれる。クリーニングツール２８とは、例えばブラシであり、消耗品である。そのため、クリーニングツール２８を新しいクリーニングツール２８に交換した日時１３１を、表示画面２０１を見て把握することで、次にクリーニングツール２８を交換するタイミングを把握し易い。
【００９１】
本実施形態では、スピンドル３１には、予め定められた原点位置が設定されている。メンテナンス内容１３２には、スピンドル３１における原点位置を調整するスピンドル原点調整１３２ｅが含まれる。スピンドル３１は、移動機構３３（図３参照）によって移動するものであり、長時間使用されることで、位置ずれが発生することがあり得る。スピンドル３１には、上述のように、予め定められた原点位置が設定されており、この原点位置を調整することでスピンドル３１の位置ずれが発生しにくくなる。このスピンドル３１の原点調整は、位置ずれが発生することを抑制するために、ある程度使用された後に行われることが好ましい。よって、スピンドル原点調整１３２ｅが行われた日時１３１を、表示画面２０１を見て把握することで、次にスピンドル原点調整１３２ｅを行うタイミングが分かり易い。
【００９２】
本実施形態では、メンテナンス内容１３２には、デンタル加工機１００による加工前に、スピンドル３１を回転させるスピンドル慣らし運転１３２ｆが含まれる。例えばデンタル加工機１００を長時間使用しなかった後に、デンタル加工機１００を使用する際、スピンドル３１の回転不足によるエラーが生じることがあり得る。そのため、ある程度の時間が経過した後には、スピンドル３１の慣らし運転１３２ｆが行われることが好ましい。よって、スピンドル慣らし運転１３２ｆが行われた日時１３１を、表示画面２０１を見て把握することで、次にスピンドル慣らし運転１３２ｆを行うタイミングが分かり易い。
【００９３】
上記実施形態では、メンテナンス履歴表示装置２００は、サーバ１２０を介して複数のデンタル加工機１００と接続されている。メンテナンス履歴表示システム１を導入する企業の中には、複数の拠点を有する企業が存在する。この場合、各拠点に、１つまたは複数のデンタル加工機１００が導入されることがあり得る。そのため、メンテナンス履歴表示装置２００は、拠点毎にデンタル加工機１００のメンテナンスの履歴を表示するように構成されてもよい。
【符号の説明】
【００９４】
１  メンテナンス履歴表示システム
１００  デンタル加工機
１１０  操作端末
１１５  端末送信部
１１６  端末取得部
１２０  サーバ（記憶装置）
１３１  メンテナンス日時
１３２  メンテナンス内容
２００  メンテナンス履歴表示装置
２１０  表示処理装置
２１３  取得処理部
２１５  表示処理部
Ｍ１  メンテナンス情報
【図１】
2020135012.tif 000003
【図２】
2020135012.tif 000004
【図３】
2020135012.tif 000005
【図４】
2020135012.tif 000006
【図５】
2020135012.tif 000007
【図６】
2020135012.tif 000008
【図７】
2020135012.tif 000009
【図８】
2020135012.tif 000010
【図９】
2020135012.tif 000011
【図１０】
2020135012.tif 000012